(57)【特許請求の範囲】
【請求項１】
小型旋回流発生継手を家屋の基礎の内側に配置すると共に、家屋の基礎の外側に小型旋回流発生継手及び排水桝を配置し、
基礎の内側の小型旋回流発生継手の側壁に形成された接続口に上流側排水管を接続すると共に、その小型旋回流発生継手の下端に形成された接続口に基礎を貫通する基礎貫通排水管の上流側端部を、大曲り管を介して接続して、
基礎の外側の小型旋回流発生継手の側壁に形成された接続口に基礎貫通排水管の下流側端部を、その小型旋回流発生継手の下端に形成された接続口に管の上流側端部を、排水桝の側壁に形成された接続口に管の下流側端部を、排水桝の下部に形成された下部接続口に屋外の排水管を、それぞれ接続したことを特徴とする基礎貫通配管構造。
【請求項２】
小型旋回流発生継手を家屋の基礎の内側に配置すると共に、家屋の基礎の外側に旋回流を発生させる旋回流型排水桝を配置し、
小型旋回流発生継手の側壁に形成された接続口に上流側排水管を接続すると共に、小型旋回流発生継手の下端に形成された接続口に基礎を貫通する基礎貫通排水管の上流側端部を、大曲り管を介して接続して、
旋回流型排水桝の側壁上部に形成された上部接続口に基礎貫通排水管の下流側端部を接続すると共に、旋回流型排水桝の下部に形成された下部接続口に屋外の排水管を接続したことを特徴とする基礎貫通配管構造。
【発明の詳細な説明】
【技術分野】
【０００１】
本発明は、通気弁が無くても排水管に負圧が発生し難く、配管スペースが狭小でも施工することができる、基礎貫通配管構造に関するものである。
【背景技術】
【０００２】
従来の床下配管システムにおいては、排水量が増えて配管内の水位が上がると、排水管の曲り部分や段差部分が多量の排水により閉塞されて管内の通気が遮断されるため負圧が発生し、この負圧によって洗面台、台所、浴室、トイレなどの水設備のトラップの封水が破壊されるという問題があった。
【０００３】
このような床下配管システムの圧力変動を緩和、吸収するため、階上の水設備から排水ヘッダーに至る排水管路の途中に立ち上がり管を設けて建物の上方に延長し、例えば切り妻屋根の端壁等を貫いて通気管の上端を屋外に露出させるなどの対策が講じられていた。
【０００４】
しかしながら、上記のように立ち上がり管を上方に延長して屋外に露出させたものは、通気自在であるため排水管路に負圧が発生しても常圧に戻すことができるとはいうものの、壁面を貫いて立ち上がり管を屋外に露出させるため、施工が面倒で費用が嵩み、建物の外観が損なわれるという問題があった。また、最近の家屋は、水設備の位置により上記の立ち上がり管を設置するスペースを確保できない場合もあった。
【０００５】
また、上記の立ち上がり管の上端に通気弁を取り付けたものもあるが、この通気弁はゴム板を弁体とするものであるため、弁体が排水管路からの湿気でベタツキを生じ、弁座にくっついてスムーズに作動しなくなったり、弁体が開閉するときのパタパタという音が気になるという問題があった。しかも、この通気弁を設置するには、壁のふかしが必要になるという問題もあった。
【０００６】
このような問題を解決するために、下部に縦管接続口を有する縦管部と、この縦管部に接続した合流流入管部を一体に形成した管継手本体を備え、合流流入管部が縦管部に連通される合流部にはこの合流流入管部側から縦管部に向ってこの縦管部の外周に沿って半周以上迂回し漸次膨出量を小さくした旋回流発生膨出部を形成し、旋回流発生膨出部と縦管部との間に堰壁部を形成した合流管継手が提案された（特許文献１）。
【０００７】
この合流管継手は従来の問題を一応解決することはできたが、嵩が高いので、大きい埋設スペースを必要とし、近年の配管スペースが狭小な住宅の床下には配管施工し難いという問題があった。しかも、旋回流発生膨出部によって発生した旋回流は、縦管部の内壁を旋回する間に流速が衰えるため、空気芯の形成が不十分になってトラップの封水破壊を満足に防止することが難しくなるという問題もあった。
【先行技術文献】
【特許文献】
【０００８】
【特許文献１】特開平８−２３２３１２号公報
【発明の概要】
【発明が解決しようとする課題】
【０００９】
本発明は上記の問題に対処すべくなされたもので、旋回流が衰えず空気芯を確実に形成するため、排水管の負圧発生に伴うトラップの封水破壊を充分防止することができ、配管スペースが狭小であっても容易に施工することができる基礎貫通配管構造を提供することを解決課題としている。
【課題を解決するための手段】
【００１０】
上記の課題を解決するため、本発明に係る第一の基礎貫通配管構造は、小型旋回流発生継手を家屋の基礎の内側に配置すると共に、家屋の基礎の外側に小型旋回流発生継手及び排水桝を配置し、基礎の内側の小型旋回流発生継手の側壁に形成された接続口に上流側排水管を接続すると共に、その小型旋回流発生継手の下端に形成された接続口に基礎を貫通する基礎貫通排水管の上流側端部を、大曲り管を介して接続して、基礎の外側の小型旋回流発生継手の側壁に形成された接続口に基礎貫通排水管の下流側端部を、その小型旋回流発生継手の下端に形成された接続口に管の上流側端部を、排水桝の側壁に形成された接続口に管の下流側端部を、排水桝の下部に形成された下部接続口に屋外の排水管を、それぞれ接続したことを特徴とするものである。
【００１１】
また、本発明の第二の基礎貫通配管構造は、小型旋回流発生継手を家屋の基礎の内側に配置すると共に、家屋の基礎の外側に旋回流を発生させる旋回流型排水桝を配置し、小型旋回流発生継手の側壁に形成された接続口に上流側排水管を接続すると共に、小型旋回流発生継手の下端に形成された接続口に基礎を貫通する基礎貫通排水管の上流側端部を、大曲り管を介して接続して、旋回流型排水桝の側壁上部に形成された上部接続口に基礎貫通排水管の下流側端部を接続すると共に、旋回流型排水桝の下部に形成された下部接続口に屋外の排水管を接続したことを特徴とする。
【発明の効果】
【００１２】
本発明の基礎貫通配管構造は、上流側排水管から小型旋回流発生継手に流入した排水が旋回流となり、基礎貫通排水管を通って排水される。小型旋回流発生継手によって旋回流が発生すると、旋回流の中心に空気芯が形成され、この旋回流を生じた排水がスムーズに基礎貫通排水管へ流れ込むため、排水量が多くても基礎貫通排水管が閉塞され難くなり、加えて、基礎貫通排水管の上流側端部と、小型旋回流発生継手の下端に形成された接続口は、大曲り管を介して接続されているので、小型旋回流発生継手で発生した旋回流が衰えることなく維持されて大曲り管をスムーズに流落して基礎貫通排水管を流れるため、より一層閉塞され難くなって、封水破壊の防止効果が更に向上する。従って、本発明の基礎貫通配管構造によれば、管内の通気を確保しやすく、閉塞により上流側排水管に負圧が発生することは殆どないので、トイレ、洗面台、浴室、台所などの水設備の封水破壊を防止することができる。
【００１３】
そして、家屋の基礎の外側に小型旋回流発生継手及び排水桝を配置し、基礎の外側の小型旋回流発生継手の側壁に形成された接続口に基礎貫通排水管の下流側端部を、その小型旋回流発生継手の下端に形成された接続口に管の上流側端部を、排水桝の側壁に形成された接続口に管の下流側端部を、排水桝の下部に形成された下部接続口に屋外の排水管を、それぞれ接続しているので、基礎の内側に配置された小型旋回流発生継手に流入して旋回流となった排水が、基礎貫通排水管を通って基礎の外側に配置された小型旋回流発生継手に流入し、再び旋回流となって管を経由して排水桝に流入し、屋外の排水管（以下、屋外排水管）へ排水される。このように基礎貫通排水管と排水桝との間に小型旋回流発生継手を配置すると、小型旋回流発生継手が旋回流を形成してくれるので、従来からの一般的な排水桝で管内の通気を確保することができ、各水設備の封水破壊を充分防止することができる。
【００１４】
同様に、小型旋回流発生継手を家屋の基礎の内側に配置すると共に、家屋の基礎の外側に旋回流を発生させる旋回流型排水桝を配置し、小型旋回流発生継手の側壁に形成された接続口に上流側排水管を接続すると共に、小型旋回流発生継手の下端に形成された接続口に基礎を貫通する基礎貫通排水管の上流側端部を、大曲り管を介して接続して、旋回流型排水桝の側壁上部に形成された上部接続口に基礎貫通排水管の下流側端部を接続すると共に、旋回流型排水桝の下部に形成された下部接続口に屋外の排水管を接続した本発明の第二の基礎貫通配管構造も、上流側排水管から小型旋回流発生継手に流入した排水が旋回流となり、基礎貫通排水管を通って旋回流型排水桝の上部接続口から該排水桝内に流入し、再び旋回流となって屋外排水管の下流側へ排水される。このように旋回流型排水桝でも旋回流が生じるため該排水桝内での閉塞の心配もなくなる。
【図面の簡単な説明】
【００１５】
【図１】本発明の基礎貫通配管構造に用いる小型旋回流発生継手の斜視図である。
【図２】同継手の構成部材である上側部材の斜視図である。
【図３】同継手の構成部材である下側部材の斜視図である。
【図４】同継手の平面図である。
【図５】同継手の断面図（図４のａ―ａ線に沿った断面図）である。
【図６】本発明の一実施形態に係る基礎貫通配管構造の概略全体図である。
【図７】同配管構造の平面図である。
【図８】同配管構造に用いる旋回流型排水桝の分解断面図である。
【図９】本発明の他の実施形態に係る基礎貫通配管構造の概略全体図である。
【図１０】本発明の更に他の実施形態に係る基礎貫通配管構造の概略全体図である。
【図１１】本発明の更に他の実施形態に係る基礎貫通配管構造の概略全体図である。
【図１２】本発明の基礎貫通配管構造に用いる他の小型旋回流発生継手の分解斜視図である。
【図１３】同継手の斜視図である。
【図１４】本発明の基礎貫通配管構造に用いる更に他の小型旋回流発生継手の斜視図である。
【図１５】本発明の基礎貫通配管構造に用いる更に他の小型旋回流発生継手の斜視図である。
【図１６】本発明の基礎貫通配管構造に用いる更に他の小型旋回流発生継手の斜視図である。
【図１７】本発明の更に他の実施形態に係る基礎貫通配管構造の概略全体図である。
【図１８】本発明の更に他の実施形態に係る基礎貫通配管構造の概略全体図である。
【図１９】本発明の更に他の実施形態に係る基礎貫通配管構造の概略全体図である。
【図２０】本発明の更に他の実施形態に係る基礎貫通配管構造の概略全体図である。
【発明を実施するための最良の形態】
【００１６】
以下、図面を参照して本発明の具体的な実施形態を詳述する。
【００１７】
図１に示す小型旋回流発生継手Ａは、図２に示す上側部材１と、図３に示す下側部材２の２つの部材で構成された合成樹脂製の管継手で、図５、図６に示すように、家屋の布基礎２０の内側などに配置されるものである。
【００１８】
上側部材１は、図２、図５に示すように、継手本体１ｂと、上流側排水管４を接続する接続口１ａとからなるもので、該接続口１ａは、図５に示すように、継手本体１ｂ上部の片側に偏位して弯曲するように突設されている。この接続口１ａは、先端部１０ａの内径が上流側排水管３（ＶＵ７５管）の外径と同じで、弯曲部分１１ａの内径は、上流側排水管４を接続したとき段差が生じないように上流側排水管４の内径と等しくなるように形成されている。上流側排水管４から流入してきた排水は、接続口１ａの弯曲部分１１ａで旋回流を発生させるきっかけとなり、略１／４周程度の旋回をしながら継手本体１ｂへと流入していく。
【００１９】
継手本体１ｂは、直径が１００ｍｍ程度の円筒１０ｂと、円筒１０ｂの先端に形成されたドーム部分１１ｂと、円筒１０ｂの下端に形成された嵌合部１２ｂからなるもので、先端のドーム部分１１ｂは、接続口１ａを経路してきた旋回流を発生しつつある排水が、ドーム部分１１ｂに接触することで破壊されるのを防止すると共に、より完全な旋回流を形成させるために、抵抗の少ない丸みを帯びたドーム型となっている。
【００２０】
継手本体１ｂの下端に形成された嵌合部１２ｂは、図４に示すように、継手本体１ｂの円筒１０ｂよりも大径で、後述する下側部材２の被嵌合部２ｃを嵌合させたとき、円筒１０ｂ内面と下側部材２のテーパー内面２ｂの内面が段差無く面一となるように形成されている。
【００２１】
図３に示す下側部材２は、環状の被嵌合部２ｃと、テーパー内面２ｂと、下流側排水管である基礎貫通排水管５を接続する接続口２ａとで構成されており、この下側部材２と上記の上側部材１は、図５に示すように、継手本体１ｂの嵌合部１２ｂの内周面に下側部材２の被嵌合部２ｃの外周面を嵌合させて接着剤で水密的に接着嵌合して一体化されている。
【００２２】
テーパー内面２ｂは、図５に示すように、環状の被係合部２ｃの上端から内側に向って形成された下窄まりの内壁面で、上面側の直径が上記継手本体１ｂの円筒１０ｂの内径と等しい１００ｍｍ程度で、そこから下方向に向うにつれて徐々に縮径されていって下面側の外径はＶＵ７５管の内径と等しくなるように形成されている。このテーパー内面２ｂを形成したことで、上記の上側部材１で渦を巻いて下側部材２に流入してきた排水が、テーパー内面２ｂの周面を複数周旋回し、より勢いのある旋回流を形成して接続口２ａへと流れていく。
【００２３】
接続口２ａは、上記テーパー内面２ｂの下端から突出するように形成された、外径がＶＵ７５管の内径と等しい筒体で、基礎貫通排水管５の上流側端部の内側に嵌合させて接続するようになっている。尚、後述するように、この接続口２ａと基礎貫通排水管５を、大曲り管６を介して接続する場合は、大曲り管６の上流側端部を接続口２ａに接続することになるし、接続口２ａと大曲り管６を、短管２３（ＶＵ７５管）を介して接続する場合は、短管２３の内側を接続口２ａの下端に嵌込むことになる。
【００２４】
上述した上側部材１と下側部材２からなる小型旋回流発生継手Ａは、一体成形せずに別体としたことで、テーパー内面２ｂ部分の成形が非常に容易となりコストを削減することができる。また、機能面でも、上流側排水管４に接続する接続口１ａが上側部材１の継手本体１ｂ上部の片側に偏位して形成され、更に、下側部材２にはテーパー内面２ｂが形成されているので、従来の合流管継手と比較するとコンパクトでありながら、上流側排水管４から流入してきた排水は上側部材１で確実に渦を巻いて、更に、テーパー内面２ｂでより勢いを増して基礎貫通排水管５へと流れていく。その旋回流の中心には空気芯が形成されるので、上流側排水管４と基礎貫通排水管５との曲がり部分や段差部分で閉塞することがなくなり、通気弁が無くても封水破壊を防止することができる。しかも、コンパクトであるので、配管スペースが狭小である近年の都市部の住宅にも設置することができる。
【００２５】
一方、図６、図７に示す本発明の基礎貫通配管構造は、上記の小型旋回流発生継手Ａが家屋の布基礎２０の内側の土間コンクリートの箱抜き部分２１に配置されており、この小型旋回流発生継手Ａに形成された接続口１ａには、洗面所やトイレ等（不図示）の水設備からの排水管が接続された上流側排水管４が接続されている。また、小型旋回流発生継手Ａの下端に形成された接続口２ａには、上流側で略９０°方向に立ち上がる大曲り管６が短管２３（ＶＵ７５管）を介して接続されており、その大曲り管６は基礎貫通排水管５の上流側端部に接続されている。
【００２６】
大曲り管６は、１００ｍｍ以上の曲率半径を有するものが好ましく、このような大曲り管６は９０°エルボ継手に比べると曲率半径が遥かに大きいため、上記の小型旋回流発生継手Ａによって旋回流を生じた排水は大曲り管６内をスムーズに流落し、基礎貫通排水管５を通って屋外の旋回流型排水桝７に流れ込む。従って、よほど大量の排水が一度に流れない限り、大曲り管６や基礎貫通排水管５は排水によって閉塞されることがなく、管内の通気は確保される。
【００２７】
図６に示すように、布基礎２０の外側の地中には、旋回流を発生させる旋回流型排水桝７が埋設されており、この旋回流型排水桝７の側壁上部に形成された上部接続口７ａには、基礎２０を貫通する基礎貫通排水管５の下流側端部が接続されている。そして、図７に示すように、旋回流型排水桝７の下部に形成された下部接続口７ｂ,７ｃには、上流側の屋外排水管７０ｂと下流側の屋外排水管７０ｃが接続されている。
【００２８】
屋外の地中に埋設された旋回流型排水桝７は、図８に示すように、上側の高さ調節用の縦筒体７ｄと、下側の桝本体７ｅと、上側の蓋受枠７ｆと、蓋体７ｇとからなるものであって、桝本体７ｅの上部開口段部に高さ調節用の縦筒体７ｄの下部が嵌合接続され、この縦筒体７ｄに蓋受枠７ｆが内嵌着され、この蓋受枠７ｆに蓋体７ｇが被着されて組み立てられている。
【００２９】
そして、この縦筒体７ｄの側壁には、上部接続口７ａが縦筒体７ｄの片側に偏位してやや弯曲するように突設されており、この上部接続口７ａに前記の基礎貫通排水管６の下流側端部が接続されている。従って、基礎貫通排水管６から旋回流型排水桝７に流入した排水は、縦筒体７ｄの内周面に沿って旋回流を生じながら下部の桝本体７ｅに流落する。
【００３０】
桝本体７ｅの両端には下部接続口７ｂ,７ｃが形成されており、図７に示すように、上流側の下部接続口７ｂには上流側の屋外排水管７０ｂが、下流側の下部接続口７ｃには下流側の屋外排水管７０ｃが、それぞれ接続されている。
【００３１】
旋回流型排水桝７が上記のような構成であると、基礎貫通排水管５から流入してきた排水は旋回流を生じるので、旋回流型排水桝７内での閉塞の心配なくなり、下流側の屋外排水管７０ｃへ確実に排水することができる。このように旋回流型排水桝７内で旋回流が生じると、前述したように小型旋回流発生継手Ａによって上流側排水管４や大曲り管６や基礎貫通排水管５が閉塞しないことと相俟って、配管全体に亘る通気が確保されることになり、閉塞による水設備の封水破壊を確実に防止することができる。
【００３２】
図９は、本発明の他の実施形態に係る基礎貫通配管構造の概略全体図である。
【００３３】
図９に示す基礎貫通配管構造は、小型旋回流発生継手Ａが布基礎２０の内側のベタ基礎２２の上面に配置されており、短管２３（ＶＵ７５管）及び大曲り管５はベタ基礎２２内に埋設されている。
この基礎貫通配管構造の他の構造は、前述した図６〜図８に示す実施形態の基礎貫通配管構造と同様であるから、説明を省略する。
【００３４】
このようにベタ基礎２２内に短管２３及び大曲り管６を埋設する基礎貫通配管構造は、箱抜き部分２１を形成しなくても、ベタ基礎２２の上面に小型旋回流発生継手Ａを配置することができるので、床下からベタ基礎２２までの高さスペースが殆どないような住宅にも配管施工することができる。
【００３５】
図１０は、本発明の更に他の実施形態に係る基礎貫通配管構造の概略全体図である。
【００３６】
図１０に示す基礎貫通配管構造は、小型旋回流発生継手Ａの接続口１ａに接続された上流側排水管４が大曲り管６の一方に接続され、大曲り管６の他方に階上へ立ち上がる立ち上がり管９（ＶＵ７５管）が接続されることで、上流側排水管４と立ち上がり管９が接続され、その立ち上がり管９の上端部が他の小型旋回流発生継手Ａの接続口２ａに接続されると共に、その小型旋回流発生継手Ａの接続口１ａに、階上のトイレ、洗面所等（不図示）からの排水が流入する階上の排水管８（ＶＵ７５管）が接続された構造となっている。
本実施例の基礎貫通配管構造の他の構造は、前述した図６〜図８に示す実施形態の基礎貫通配管構造と同様であるから、説明を省略する。
【００３７】
このような基礎貫通配管構造は、階上の排水管８から小型旋回流発生継手Ａに流入した排水が旋回流となり、空気芯が形成された状態で立ち上がり管９を流落していくので閉塞されることがなく、また、流落した排水は、大曲り管６を介して上流側排水管４に流れていくので、上述したように上流側排水管４から旋回流型排水桝７に至る流路が閉塞し難いことと相俟って、階上のトイレ、洗面所等からの排水も閉塞なくスムーズに排水させることができる。従って、狭い土地スペースに高い建物を立てるという、近年多く見られる住宅事情に対応することができる。
尚、立ち上がり管９と上流側排水管４を、エルボ継手などを介して接続することも可能であるが、より確実に閉塞を防止するためには大曲り管６を介して接続するのが好ましい。
また、図９に示す基礎貫通配管構造の上流側排水管４の上流側端部と立ち上がり管９（ＶＵ７５管）の下端部を、大曲り管６を介して接続しても上記と同様の作用効果を奏することはいうまでもない。
【００３８】
図１１は、本発明の更に他の実施形態に係る基礎貫通配管構造の概略全体図である。
【００３９】
図１１に示す基礎貫通配管構造は、図１２、図１３に示す小型旋回流発生継手Ｂを用いて施工されている。この小型旋回流発生継手Ｂは、図１２に分解して示すように、上側部材１と、下側部材２と、蓋受枠３ａと、蓋体３とからなるものであって、上流側排水管４を接続する接続口１ａは、継手本体１ｂの高さ方向の略中間部分の片側に偏位して弯曲するように突設されている。そして、前述したように上側部材１と下側部材２は接着剤で水密的に嵌合接続されており、上側部材１の開口部１ｃには蓋受枠３ａが内嵌着され、この蓋受枠３ａに蓋体３が被着されて組み立てられている。
【００４０】
上記小型旋回流発生継手Ｂを用いた本発明の基礎貫通配管構造は、次の通りである。即ち、小型旋回流発生継手Ｂの上側部材１の開口部１ｃに被着された蓋体３が取り外されて、その開口部１ｃに階上へ立ち上がる立ち上がり管９が接続される。そして、その立ち上がり管９の上端部が階上に配置された他の小型旋回流発生継手Ｂの下側部材２の接続口２ａに接続されると共に、階上のトイレ、洗面所等（不図示）からの排水が流入する階上の排水管８が該小型旋回流発生継手Ｂの接続口１ａに接続されている。そして、階上の排水管８が接続された小型旋回流発生継手Ｂの上側部材１の開口部１ｃに被着された蓋体３が取り外されて、更に、その開口部１ｃに立ち上がり管９が接続されている。
本実施例の基礎貫通配管構造の他の構造は、前述した図６〜図８に示す実施形態の基礎貫通配管構造と同様であるから、説明を省略する。
【００４１】
このような基礎貫通配管構造は、１階の水設備からの排水と階上の水設備からの排水を１箇所に合流させて、閉塞させることなく屋外排水管６０ｂ，６０ｃに排水することができるので、狭小な土地スペースに高い建物が建築される近年の都市部の住宅にも対応することができる。
尚、階上へ立ち上がる立ち上がり管９を小型旋回流発生継手Ｂの開口部１ｃに接続する必要がない場合は、開口部１ｃに被着されている蓋体３を取り外さずに、前述した小型旋回流発生継手Ａと同様の使い方をすればよい。そして、メンテナンス等の必要が生じた場合に、蓋体３を取り外して、その開口部１ｃを点検口として使用すればよい。
【００４２】
図１７は、本発明の更に他の実施形態に係る基礎貫通配管構造の概略全体図である。
【００４３】
この実施形態に係る基礎貫通配管構造は、前述した図１１に示す実施形態の床下に配置された小型旋回流発生継手Ｂの代わりに、図１４に示す小型旋回流発生継手Ｃを配置して、その小型旋回流発生継手Ｃの上下の接続口１ａ，１ａに２本の上流側排水管４，４を接続し、その開口部１ｃに立ち上がり管９を接続したものである。
【００４４】
この小型旋回流発生継手Ｃは、図１４に示すように、２本の上流側排水管４，４を接続する接続口１ａ，１ａが上下に２つ並んで、上側部材１の円筒１０ｂの片側に偏位して弯曲するように突設されたものである。
この実施形態の基礎貫通配管構造及び小型旋回流発生継手Ｃの他の構造は、前述した図１１〜図１３に示す実施形態と同様であるから、説明を省略する。
【００４５】
このような小型旋回流発生継手Ｃを用いた基礎貫通配管構造は、封水破壊を確実に防止しながらも、２本の上流側排水管４，４を上下に並列させて配設することができるので、狭小な場所でも配管スペースを確保することができる。
尚、階上に複数の排水管８が配設されている場合には、この小型旋回流発生継手Ｃを階上に配置すればよいことはいうまでもない。
【００４６】
図１８は、本発明の更に他の実施形態に係る基礎貫通配管構造の概略全体図である。
【００４７】
この実施形態に係る基礎貫通配管構造は、前述した図６〜図８に示す実施形態の床下に配置された小型旋回流発生継手Ａの代わりに、図１５に示す小型旋回流発生継手Ｄを配置して、その小型旋回流発生継手Ｄの左右の接続口１ａ，１ａに２本の上流側排水管４，４を接続したものである。
【００４８】
この小型旋回流発生継手Ｄは、図１５に示すように、２本の上流側排水管４，４を接続する接続口１ａ，１ａが、上側部材１の円筒１０ｂの片側とその反対側にそれぞれ偏位して弯曲するように突設されたものである。
この基礎貫通配管構造及び小型旋回流発生継手Ｄの他の構造は、前述した図６〜図８の配管構造、及び、図１２、図１３に示す小型旋回流発生継手Ｂと同様であるから、説明を省略する。
【００４９】
このような小型旋回流発生継手Ｄを用いた基礎貫通配管構造は、配管スペースの関係で、家屋の基礎２０に平行して左右両側から上流側排水管４，４を配設する必要がある場合に、１つの小型旋回流発生継手Ｄを配置するだけで封水破壊を確実に防止することができる。
尚、この小型旋回流発生継手Ｄの開口部１ｃに被着されている蓋体３を取り外して、前述したようにその開口部１ｃに立ち上がり管９を接続し、その立ち上がり管９の上端を、階上の排水管８が接続された小型旋回流発生継手Ａ，Ｂ，Ｃ，Ｄのいずれかに接続すれば、階上の水設備からの排水も閉塞されることなくスムーズに屋外排水管６０ｂ，６０ｃに排出されることはいうまでもない。
【００５０】
図１９は、本発明の更に他の実施形態に係る基礎貫通配管構造の概略全体図である。
【００５１】
この実施形態に係る基礎貫通配管構造は、前述した図１１に示す実施形態の床下に配置された小型旋回流発生継手Ｂの代わりに、図１６に示す小型旋回流発生継手Ｅを配置して、その小型旋回流発生継手Ｅの接続口１ａ及び開口部１ｃに、上流側排水管４、立ち上がり管９をそれぞれ接続したものである。
【００５２】
この小型旋回流発生継手Ｅは、図１６に示すように、上流側排水管４を接続する接続口１ａが、４５°以下の角度で上側部材１の円筒１０ｂの片側に偏位して弯曲するように斜め上向きに突設されたものである。特に、本実施形態のように接続口１ａが３０°以下の小型旋回流発生継手Ｅは、接続口１ａに上流側排水管４を無理なく接続でき、また、上流側排水管４から流れてきた排水が閉塞することなくスムーズに小型旋回流発生継手Ｅに流入し、確実に封水破壊を防止することができるので好ましい。
この基礎貫通配管構造及び小型旋回流発生継手Ｅの他の構造は、前述した図１１〜図１３に示す実施形態と同様であるから、説明を省略する。
【００５３】
このような小型旋回流発生継手Ｅを用いた基礎貫通配管構造は、狭小な家屋でも、上流側排水管４に勾配をつけることで、封水破壊を確実に防止しながらも配管スペースを確保することができる。
【００５４】
図２０は、本発明の更に他の実施形態に係る基礎貫通配管構造の概略全体図である。
【００５５】
この実施形態に係る基礎貫通配管構造は、図２０に示すように、小型旋回流発生継手Ａが家屋の布基礎２０の内側の土間コンクリートの箱抜き部分２１と、家屋の布基礎２０の外側にそれぞれ配置されており、布基礎２０の外側に配置された小型旋回流発生継手Ａの接続口１ａには布基礎２０を貫通する基礎貫通排水管５の下流側端部が接続されている。そして、その小型旋回流発生継手Ａの下側部材２の接続口２ａに大曲り管６の上流側端部が接続されており、大曲り管６の下流側端部が布基礎２０の外側に配置された排水桝３０の側壁に形成された接続口３０ａに接続されると共に、排水桝３０の下部に形成された下部接続口３０ｂに屋外排水管７０ｂが接続されている。
尚、この基礎貫通配管構造に用いられる小型旋回流発生継手を、前述した小型旋回流発生継手Ｂ，Ｃ，Ｄ，Ｅのどの管継手に置換してもよいのはいうまでもない。
【００５６】
この実施形態に用いられる排水桝３０は、従来の一般的な排水桝であればどのような形態のものでも使用でき、この実施形態では、側壁に大曲り管６の下流側端部が接続される接続口３０ａが形成され、下部に屋外排水管７０ｂが接続される下部接続口３０ｂが形成されると共に、上部に点検口３０ｃが形成されたものが用いられている。
本実施例の基礎貫通配管構造の他の構造は、前述した図６〜図８に示す実施形態の基礎貫通配管構造と同様であるから、説明を省略する。
【００５７】
このような基礎貫通配管構造は、従来からの配管構造の基礎貫通排水管５と排水桝３０との間に、本発明の小型旋回流発生継手Ａを配置することで、前述したように、上流側排水管４から基礎２０の内側に配置された小型旋回流発生継手Ａに流入して旋回流となった排水が、大曲り管６を介して基礎貫通排水管５を通り、基礎２０の外側に配置された小型旋回流発生継手Ａに流入することで、再び旋回流を形成する。そして、その空気芯が形成された排水は、大曲り管６を経由して排水桝３０に流入して、屋外排水管７０ｂへと排水されるので、前述した配管構造のように、旋回流を発生させる特殊な旋回流型排水桝７を用いなくても、従来からの一般的な排水桝３０で管内の通気を確保することができ、各水設備の封水破壊を充分防止することができる。
【００５８】
以上、種々の実施形態の小型旋回流発生継手及びそれを用いた基礎貫通配管構造を詳述したが、本発明は上記に限定されるものではなく、様々な変更を許容し得ることはいうまでもない。
【符号の説明】
【００５９】
Ａ，Ｂ，Ｃ，Ｄ，Ｅ  小型旋回流発生継手
１    上側部材
１ａ  接続口
１ｂ  継手本体
１ｃ  開口部
２    下側部材
２ａ  接続口
２ｂ  テーパー内面
３    蓋体
４    上流側排水管
５    基礎貫通排水管（下流側排水管）
６    大曲り管
７    旋回流型排水桝
７ａ  上部接続口
７ｂ  下部接続口（上流側）
７ｃ  下部接続口（下流側）
８    階上の排水管
９    立ち上がり管
２０  家屋の基礎（布基礎）
２１  箱抜き部分
２２  ベタ基礎
２３    短管
３０    排水桝
３０ａ  接続口
３０ｂ  下部接続口
７０ｂ  上流側の屋外排水管
７０ｃ  下流側の屋外排水管
【図１】
0005473013.tif 000002
【図２】
0005473013.tif 000003
【図３】
0005473013.tif 000004
【図４】
0005473013.tif 000005
【図５】
0005473013.tif 000006
【図６】
0005473013.tif 000007
【図７】
0005473013.tif 000008
【図８】
0005473013.tif 000009
【図９】
0005473013.tif 000010
【図１０】
0005473013.tif 000011
【図１１】
0005473013.tif 000012
【図１２】
0005473013.tif 000013
【図１３】
0005473013.tif 000014
【図１４】
0005473013.tif 000015
【図１５】
0005473013.tif 000016
【図１６】
0005473013.tif 000017
【図１７】
0005473013.tif 000018
【図１８】
0005473013.tif 000019
【図１９】
0005473013.tif 000020
【図２０】
0005473013.tif 000021